(57)【特許請求の範囲】
【請求項１】
所定数と径の連結孔が穿設された連結板が周縁部に沿って衝立て状に一体形成された方形又は矩形段板と、長めの筒状部材の端部所定位置に一体に設けた連結凹部の背面に連結用透孔を穿設して前記凹部を連結板に嵌めて前記段板に交叉連結されると共に、前記筒状部材の連結凹部を除く部位を扁平にならし、ならし部位を所定角度の略直角三角形状に成形して斜辺部を置き部とし、且つ、その斜辺下角部を扁平にならし、ならし部位を所定形状に上方に折り曲げ成形して受け部とする置き用段柱と、前記凹部を連結板に嵌めて同軸に重なった透孔と連結孔とに同時に挿通して段柱と段板とを交叉連結する位置決めピンとを具備し、方形段板の所定辺の連結板に所定数の上記段柱の連結凹部を連結して斜辺部とその下角部とで情報端末器を置き受け保持する情報端末器置き用書見台を形成したことを特徴とする書見台。
【請求項２】
所定数と径の連結孔が穿設された連結板が周縁部に沿って衝立て状に一体形成された方形又は矩形段板と、長めの筒状部材の端部所定位置に一体に設けた連結凹部の背面に連結用透孔を穿設して前記凹部を連結板に嵌めて前記段板に交叉連結されると共に、前記筒状部材の連結凹部を除く部位を扁平にならし、ならし部位を所定角度の略直角三角形に成形して斜辺部を書籍置き部とした置き用段柱と、長めの筒状部材の端部所定位置に一体に設けた連結凹部の背面に連結用透孔を穿設して前記凹部を連結板に嵌めて前記段板に交叉連結されると共に、前記筒状部材の連結凹部を除く部位を扁平にならし、ならし部位先端部を連結凹部側に所定角度折り曲げたページ押さえ用段柱と、長めの筒状部材の端部所定位置に一体に設けた連結凹部の背面に連結用透孔を穿設して前記凹部を連結板に嵌めて前記段板に交叉連結されると共に、前記筒状部材の連結凹部を除く部位を扁平にならし、ならし部位を連結凹部に略直角に折り曲げた書籍ずれ止め用段柱と、前記凹部を連結板に嵌めて同軸に重なった透孔と連結孔とに同時に挿通して段柱と段板とを交叉連結する位置決めピンとを具備し、上記各段柱の連結凹部を前記段板の各所定辺に連結して斜辺部に書籍を傾斜して置く書籍置き用書見台を形成したことを特徴とする書見台。
【発明の詳細な説明】
【技術分野】
【０００１】  本発明は、タブレット型情報端末器及び書籍や雑誌の各置き用書見台に関する。
【背景技術】
【０００２】  既存の樹脂成形によるタブレット型情報端末器置き用書見台を背景技術とする。
【発明の開示】
【発明が解決しようとする課題】
【０００３】  一般に電子書籍等のタブレット型情報端末器はメーカによって様々なサイズがあるが、その置き用書見台は固定形状で異なる端末器毎に異なる書見台があって同一書見台で異なるサイズの情報端末器に対応できない。本発明は、板と柱とを直接、連結固定し、情報端末器が異なっても同一書見台で直ちに対応できる情報端末器置き用書見台であって読書時の書籍置き用にも直ちに対応できる書見台を提供することを目的とする。
【課題を解決するための手段】
【０００４】  本発明は、所定数と径の連結孔が穿設された連結板が周縁部に沿って衝立て状に一体形成された方形又は矩形段板と、長めの筒状部材の端部所定位置に一体に設けた連結凹部の背面に連結用透孔を穿設して前記凹部を連結板に嵌めて前記段板に交叉連結されると共に、前記筒状部材の連結凹部を除く部位を扁平にならし、ならし部位を所定角度の略直角三角形状に成形して斜辺部を置き部とし、且つ、その斜辺下角部を扁平にならし、ならし部位を所定形状に上方に折り曲げ成形して受け部とする置き用段柱と、前記凹部を連結板に嵌めて同軸に重なった透孔と連結孔とに同時に挿通して段柱と段板とを交叉連結する位置決めピンとを具備し、方形段板の所定辺の連結板に所定数の上記段柱の連結凹部を連結して斜辺部とその下角部とで情報端末器を置き受け保持する情報端末器置き用書見台を形成したことを特徴とする書見台。【０００５】  上記解決手段による作用を次に述べる。まず方形段板の所定辺周縁の連結板に置き用段柱の連結凹部を嵌める。同軸に重なった連結孔と透孔とに位置決めピンのボルトを段柱側から両孔に同時挿通して段板連結板側でナット締めし、段板と段柱とを縦に交叉連結して固定する。置き用段柱は情報端末器サイズに応じて連結位置や本数を適宜、選択する。置き用段柱の斜辺部に電子書籍等のタブレット型情報端末器を置き、受け部で受けて保持する。電子書籍が書籍に変われば、置き用段柱を交換し、更にページ押え用や書籍ずれ止め用各段柱を追加すれば良い。
【発明の効果】
【０００６】  本発明によれば、置き用段柱をタブレット型情報端末器サイズに応じて必要な本数を所望位置の連結孔に選択的に連結して段板に直接、連結固定する。端末器サイズが変動すれば、それに応じて連結位置や本数を変更すれば良く、同じ書見台で異なるサイズの端末器に直ちに対応できる。書籍では置き用段柱を交換し、ページ押え用や書籍ずれ止め用各段柱を追加するだけで直ちに対応できる。
【発明を実施するための最良の形態】
【０００７】  本発明の実施の形態を図１、図２を参照して以下に説明する。尚、部品数がより多い書籍置き用書見台を先に説明し、より簡素な構成の情報端末器置き用書見台は後とする。まず図１（ａ）は本発明書籍置き用書見台（Ａ）の概略斜視図で、図において（１）は段板、（２ａ）は書籍等の置き用段柱、（２ｂ）は書籍のページ押さえ用段柱である。段板（１）は、図２（ａ）（ｂ）に示すように、外周に沿って連結板（１ａ）を一体形成した所定厚の方形金属平板（１’）からなり、連結板（１ａ）の所定位置に所定数と径の連結孔（１ｂ）を穿設する。図２（ｃ）に示すように、連結板（１ａ）を下方に折曲成形し、図２（ｄ）（ｅ）に示すように、周縁部に連結板（１ａ）を衝立て状に一体形成した本発明の方形段板（１）を形成する。【０００８】  尚、方形段板（１）のコーナ部（１ａｃ）（図２（ｄ）参照）では連結板（１ａ）が一旦途切れて隙間が生じる。そこで、図２（ｆ）に示す取付け孔（１ｂａ）を有する金属製鉤形補強板（１ａａ）を内側からコーナ部（１ａｃ）に付き当て隙間を塞いであてがう。コーナ近傍の連結孔（１ｂ）に取付け孔（１ｂａ）を重ねて連通させ、後述の位置決めピン（３）のボルトとナットとで補強板（１ａａ）を隣接の連結板（１ａ）に連結固定する。これにより段板（１ａ）のコーナ部（１ａｃ）の隙間を塞いで途切れを解消し、強度向上を図る。図２（ｇ）に示す連結板（１ａｄ）は予め折り返しを二重に重ねて板厚を増し、強度をより大きくしている。【０００９】  置き用段柱（２ａ）は、図１（ｂ）（ｃ）に示すように、長めの筒状部材、例えば金属パイプ製丸棒体（２’）の下端部所定位置に連結凹部（２ａａ）を一体に形成し、その背面に連結用透孔（２ａｂ）を穿設して凹部（２ａａ）を連結板（１ａ）に嵌めて段板（１）に交叉連結する。次に、図１（ｄ）に示すように、金属パイプ製丸棒体（２’）の連結凹部（２ａａ）を除く他部位を部分的に圧潰して扁平にならして、ならし部位を所定角度の略直角三角形に折曲成形して斜辺部を書籍の置き部（２ａｃ）とする。直角三角形の直角以外の角度（Ｂ）については読書に最適の傾斜角を設定する。図１（ｄ）の図示鎖線に示すように、斜辺下側の角部を更に圧潰扁平にならして、ならし部位を先端を上向きに折り曲げ（折り返し）成形し、折り曲げ部を書籍受け部（２ａｄ）としても良い。【００１０】  書籍のページ押さえ用段柱（２ｂ）は、図１（ｅ）に示すように、同様に（２’）と同じ長めの金属パイプ製丸棒体の下部に連結凹部（２ｂａ）を形成し、その背面に連結用透孔を形成する。次に、同金属パイプ製丸棒体の連結凹部（２ｂａ）を除く他部位を部分的に圧潰して扁平にならして、ならし部位先端部を所定長、部分的に連結凹部（２ｂａ）側に折曲成形する。その先端にプラスチック等の扁平で長めの板材を連続に接続固定し、ページ押さえ部（２ｂｂ）とする。先端部折曲角度（Ｃ）についてはページ押さえに最適角度を設定する。図１（ｆ）に示す段柱（２ｃ）は、（２’）と同じ長め金属パイプ製丸棒体の連結凹部（２ｃａ）を除く他部位を圧潰して扁平にならし、その部位を連結凹部（２ｃａ）に略直角に折曲して書籍ずれ止め部（２ｃｂ）を延在させ、後述のように段板���に立て掛け置きした書籍の下部に当接して位置決めし、書籍前方ずれを防止する。図１（ｇ）に示す段柱（２ｄ）は短柱にして側面下部に連結凹部（２ｄａ）を一体形成し、主に落下防止用とする。【００１１】  図１（ｈ）の実線に示す段柱（２ｅ）は段柱（２ａ）と略同構成で、異なる点は斜辺の置き部（２ｅｂ）の鉛直に対する傾斜角（Ｄ）を大きくして水平に近付け、斜辺下角部を圧潰して扁平にならして上向きに折り返し（折り曲げ）成形し、受け部（２ｅｃ）を設ける。所定数の段柱（２ｅ）を段柱（２ａ）に代えて段板（１）に連結固定し、近年、普及する電子書籍等のタブレット型情報端末器を斜辺置き部（２ｅｂ）に置き保存する。端末器下端部を受け部（２ｅｃ）で受け保持し、タブレット型情報端末器置き台を形成する。ここで、同端末器を受け部（２ｅｃ）で受け保持した際、受け部（２ｅｃ）の近傍に端末器の荷重が加わる。そこで、図示しないが、例えば受け部（２ｅｃ）近傍の位置（Ｐ）に段板（１）の上面から段柱（２ｅ）までの高さに相当する長さの支柱状脚部材を段柱（２ｅ）に一体形成し、端末器荷重を上記脚部材により段板（１）で受けても良い。図１（ｄ）の書籍受け部（２ａｄ）についても同様である。尚、段柱（２ａ）（２ｂ）（２ｃ）（２ｄ）（２ｅ）は各プラスチック樹脂成形しても良い。図１（ｃ）と同様、各連結凹部（２ｂａ）（２ｃａ）（２ｄａ）の背面に連結用透孔をそれぞれ設け、段柱（２ｅ）も同様である。【００１２】  図１（ｉ）（ｊ）に示す位置決めピン（３）は所定のねじ径と長さのボルト及び対応するナットで、段柱（２ａ）の連結凹部（２ａａ）に段板（１）の連結板（１ａ）を嵌め込み、交叉連結する。同軸に並んだ連結孔（１ｂ）と透孔（２ａｂ）とにボルトの位置決めピン（３）を挿通し、突き出たボルトにナット（３ａ）を締め付けて段板（１）と段柱（２ａ）とを交叉連結して固定する。他の各段柱（２ｂ）（２ｃ）（２ｄ）（２ｅ）も同様である。尚、連結孔（１ｂ）の内側周面にねじ溝を刻んでおけば、ボルトの位置決めピン（３）を連結孔（１ｂ）にねじ込むだけで位置決めでき、ナット不要となり、作業が簡略化する。【００１３】  上記構成に基づき本発明の動作（機能）を次に説明する。図１（ａ）の書見台（Ａ）は、同図の実線に示すように、段柱（２ａ）（２ｂ）（２ｃ）（２ｄ）を用いる。まず段柱（２ａ）は、図１（ｉ）（ｊ）に示すように、連結凹部（２ａａ）を段板（１）の所定辺の連結板（１ａ）に嵌め込み、交叉して連結する。次に、中心が同軸に並んだ透孔（２ａｂ）と連結孔（１ｂ）とに位置決めピンのボルト（３）を同時に挿通し、連結板（１ａ）の内面側でボルト（３）にナット（３ａ）を螺合してナット締めし、段板（１）と段柱（２ａ）とを交叉連結して固定する。書見台（Ａ）は方形段板（１）の一辺中央部に３本の段柱（２ａ）を並べて前記連結凹部により連結固定し、両隣に段柱（２ｂ）をそれぞれ連結固定し、対向する辺に所定数の段柱（２ｄ）を連結固定する。他の対向する２辺の各所定位置に段柱（２ｄ）、他の所定位置には段柱（２ｃ）を各連結固定する。【００１４】  そこで、読書時、図１（ａ）に示す段柱（２ａ）の斜辺の置き部（２ａｃ）に書籍背面側を傾斜保持置きし、��籍を開いて段板（１）上に立て掛ける。段柱（２ｂ）先端部のページ押さえ部（２ｂｂ）により開きページを上方から押さえ、段柱（２ｃ）の書籍ずれ止め部（２ｃｂ）を書籍下部に当接させて位置決めする。図示点線に示すように、段柱（２ａ）の対向辺側に段柱（２ｃ）を連結して書籍前方から位置決めしても良い。又は、前述のように図１（ｄ）の書籍受け部（２ａｄ）で書籍を受けて段柱（２ｃ）を省略しても良い。段柱（２ａ）は書籍サイズに応じて連結位置や本数を適宜、選択し、同サイズが変動しても直ちに対応できる。電子書籍等のタブレット型情報端末器においても同様で、段柱（２ａ）を段柱（２ｅ）に交換するだけで良く、他の段柱（２ｂ）（２ｃ）は不要である。端末器サイズが異なる場合、段柱（２ｅ）の連結位置や本数を変更するだけで良く、同一書見台で異なる情報端末器に直ちに対応できる。
【図面の簡単な説明】
【００１５】
【図１】（ａ）は本発明書見台の概略斜視図、（ｂ）（ｃ）は本発明段柱の部分斜視図と正面図、（ｄ）（ｅ）（ｆ）（ｇ）は本発明各段柱の各側面図、（ｈ）は本発明段柱の概略側面図、（ｉ）（ｊ）は本発明段板の一部断面側面図と平面図。
【図２】（ａ）（ｂ）は本発明段板となる金属平板の平面図と正面図、（ｃ）は本発明段板の連結板の部分正面図、（ｄ）（ｅ）は本発明段板の平面図と正面図、（ｆ）は本発明段板の補強板の斜視図、（ｇ）は本発明段板の連結板の部分正面図。
【符号の説明】
【００１６】１      段板
１ａ    連結板
１ｂ    連結孔
２ａ    段柱
２ａａ  連結凹部
３      位置決めピン
【図１】
0005632507.tif 000002
【図２】
0005632507.tif 000003